(57)【特許請求の範囲】
【請求項１】
過電流が通電したときに電源回路からＳＰＤへの電源線を遮断するＳＰＤ用分離器であって、
一次側に前記電源回路と接続され、二次側に前記ＳＰＤと接続される複数のヒューズと、
前記複数のヒューズの前記二次側に接続される検出表示部と、を有し、
前記検出表示部は、
前記複数のヒューズの前記二次側端子に接続される表示手段と、
前記表示手段と並列に接続され、前記ヒューズの切断を検知し、当該ヒューズの切断を通知するための検知信号を出力するとともに、前記表示手段を制御して前記ヒューズの切断を通知する検出手段と、
を含むことを特徴とするＳＰＤ用分離器。
【請求項２】
請求項１において、
前記ヒューズの個数は３つであり、
前記検出表示部は、
第１のヒューズと第２のヒューズのそれぞれの二次側端子に接続される第１の表示手段と、
前記第２のヒューズと第３のヒューズのそれぞれの二次側端子に接続される第２の表示手段と、
前記第１の表示手段と並列に接続され、前記第１及び第２のヒューズの切断を検知するために動作する第１の検出手段と、
前記第２の表示手段と並列に接続され、前記第２及び第３のヒューズの切断を検知するために動作する第２の検出手段と、
を含むことを特徴とするＳＰＤ用分離器。
【請求項３】
請求項２において、
前記第１及び第２のヒューズの間に印加される第１の印加電圧は、前記第２及び第３のヒューズの間に印加される第２の印加電圧よりも低く設定されており、
前記第１の検出手段は、前記第１の印加電圧用の第１のリレーで構成され、
前記第２の検出手段は、前記第２の印加電圧用の第２のリレーで構成され、
前記第２のヒューズが切断された場合、(i)前記第１及び第３のヒューズの間に前記第１の印加電圧が印加され、当該第１の印加電圧が前記第１及び第２の検出手段で分担され、(ii)当該第１及び第２の検出手段に分担される分担電圧はそれぞれ、前記第１及び第２のリレーの動作電圧より低い値となり、(iii)前記第１の検出手段は、前記第１の表示手段をｏｆｆ状態にし、(iv)前記第２の検出手段は、前記第２の表示手段をｏｆｆ状態にすることを特徴とするＳＰＤ用分離器。
【請求項４】
請求項２において、
前記第１及び第２のヒューズの間に印加される第１の印加電圧と前記第２及び第３のヒューズの間に印加される第２の印加電圧は同じ値に設定されており、
前記第１の検出手段は、前記第１の印加電圧用の第１のリレーで構成され、
前記第２の検出手段は、前記第２の印加電圧用の第２のリレーで構成され、
さらに、前記第１のリレーと並列に電圧調整用抵抗が接続されており、
前記第２のヒューズが切断された場合、(i)前記第１及び第３のヒューズの間に前記第１の印加電圧が印加され、当該第１の印加電圧が前記第１及び第２の検出手段で分担され、(ii)少なくとも前記第１の検出手段に分担される分担電圧は前記第１のリレーの動作電圧より低い値となり、(iii)少なくとも前記第１の検出手段は、前記第１の表示手段をｏｆｆ状態にすることを特徴とするＳＰＤ用分離器。
【請求項５】
電源と、
前記電源に接続される電気機器と、
前記電源に接続される、請求項１乃至４の何れか１項に記載のＳＰＤ用分離器と、
前記ＳＰＤ用分離器に接続されるＳＰＤと、
ネットワークを介して前記ＳＰＤ用分離器と接続され、前記ＳＰＤ用分離器における異常を監視する監視装置と、を有し、
前記ＳＰＤ用分離器は、前記ネットワークを介して前記検知信号を前記監視装置に送信し、
前記監視装置は、前記検知信号を受信することにより、前記ＳＰＤ用分離器における異常を検知することを特徴とする監視システム。
【請求項６】
過電流が通電したときに電源回路からＳＰＤへの電源線を遮断するＳＰＤ用分離器であって、
前記過電流によって切断されるヒューズを有する複数のヒューズプラグと、
表示部を有し、前記ヒューズの切断の有無を通知する検出表示部と、
前記複数のヒューズプラグと前記検出表示部とを設置するための台座と、を有し、
前記複数のヒューズプラグと前記検出表示部は別個に前記台座に着脱可能なように構成されていることを特徴とするＳＰＤ用分離器。
【請求項７】
請求項６において、
前記検出表示部の筐体表面には、前記台座の長手方向と一致する方向の対向面のそれぞれに凹凸部が形成され、当該凹凸部は、前記検出表示部が前記台座に装着した状態で露出されることを特徴とするＳＰＤ用分離器。
【請求項８】
請求項６又は７において、
前記検出表示部は、さらに、ネットワークと結線するための着脱可能な警告出力端子を有することを特徴とするＳＰＤ用分離器。
【請求項９】
請求項６乃至８の何れか１項において、
前記台座は、前記検出表示部が前記台座に装着されたときに前記検出表示部と対向する面において前記検出表示部の前記台座への挿入方向に形成された第１の切欠き溝、或いは第１の案内レールを有し、
前記検出表示部は、その筐体表面において前記台座への挿入方向に形成された、前記台座の第１の切欠き溝に沿って前記検出表示部を摺動させるための第２の案内レール、或いは前記第１の案内レールに沿って前記検出表示部を摺動させるための第２の切欠き溝を有することを特徴とするＳＰＤ用分離器。
【請求項１０】
請求項９において、
前記複数のヒューズプラグのそれぞれは、前記台座に装着されたときに前記検出表示部と対向する面において前記検出表示部の前記台座への挿入方向に形成された第３の切欠き溝、或いは第３の案内レールを有し、
前記検出表示部は、その筐体表面において前記台座への挿入方向に形成された、前記ヒューズプラグの第３の切欠き溝に沿って前記検出表示部を摺動させるための第４の案内レール、或いは前記第３の案内レールに沿って前記検出表示部を摺動させるための第４の切欠き溝を有することを特徴とするＳＰＤ用分離器。
【発明の詳細な説明】
【技術分野】
【０００１】
本発明は、サージ防護デバイス（Surge Protective Device：以下、「ＳＰＤ」という）用分離器、及び監視システムに関し、例えば、ＳＰＤが短絡故障した際に速やかにＳＰＤを電源線から切り離すためのＳＰＤ用分離器、及びＳＰＤ用分離器による電源線切断等を遠隔地に通知するための監視システムに関するものである。
【背景技術】
【０００２】
一般に、ＳＰＤは、内部にバリスタを有し、雷サージ等の異常電圧・電流から対象の電気通信機器を保護するように動作するものである。このＳＰＤに内蔵されているバリスタは、雷サージを繰り返し処理していくと徐々に劣化していき、漏れ電流が大きくなっていってしまい、著しく劣化したＳＰＤを設置していると火災等の原因となり危険である。そのため、ＳＰＤには、漏れ電流が大きくなった場合に自身の電源回路を物理的に切り離す役割を有する「切離し機構」が内蔵されている。一般的に、切離し機構は、漏れ電流増大による発熱を検知することにより自身の電源回路を切り離す構造が採用されている。
【０００３】
一方、ＳＰＤには、稀に耐電流設計値を超えるような落雷による過大な雷サージ電流、又は、電源線の短絡故障等による過大な負荷電流（以下、このような電流のことを「過電流」という。）が通電されることがある。このような場合、ＳＰＤが焼損してしまう危険性があるため、ＳＰＤの一次側（電源線側）にはバックアップのために遮断器やヒューズが設けられている。これらの遮断器やヒューズは、通称ＳＰＤ用分離器と呼ばれており、ＳＰＤに上述の過電流が通電された際には遮断器やヒューズが自身の電源回路を切り離すように動作する。なお、ＳＰＤ用分離器とＳＰＤ内蔵の切離し機構とは異なるものである。
【０００４】
例えば、特許文献１は、ＳＰＤの前段に配線遮断器（電源ブレーカ）を設置してＳＰＤ用分離器を構成することを開示している。
【０００５】
特許文献２は、主カバー及び補助カバーを有し、補助カバーを開くと配線遮断機構がオートトリップする回路遮断器について開示している。
【０００６】
特許文献３及び４は、ＳＰＤの前段にヒューズを設置してＳＰＤ用分離器を構成することを開示している。
【０００７】
以上のようなＳＰＤ用分離器は、過電流がＳＰＤに通電された場合には自身の電源回路を切り離すよう動作するので、このようなＳＰＤ用分離器を用いることにより、ＳＰＤの焼損の危険性を回避することができる。
【先行技術文献】
【特許文献】
【０００８】
【特許文献１】特開２００２−１０１５０５号公報
【特許文献２】特開平０６−１１１７０４号公報
【特許文献３】特開２００４−０３６０１３号公報
【特許文献４】特開２０１４−０４４９２５号公報
【発明の概要】
【発明が解決しようとする課題】
【０００９】
ところで、ＳＰＤ用分離器が動作した場合、ＳＰＤの状態を検査し、その結果、ＳＰＤが劣化又は損傷していた場合はＳＰＤを交換する。また、ＳＰＤ用分離器の状態も検査し、その結果、ＳＰＤ用分離器が劣化又は損傷していた場合はＳＰＤ用分離器を交換する。このような作業は、ＳＰＤ用分離器が動作した後、速やかに行う必要がある。ＳＰＤ用分離器が動作した場合は、ＳＰＤが電源線から切り離されている状態になっており、保護対象である電気通信機器（被保護機器）が保護されていない状態にあるからである。
【００１０】
しかしながら、特許文献１乃至４に示されるような従来のＳＰＤ用分離器は、電源用配線盤（配線箱）に収容されており、人目につかない状態で設置されていることが多い。そのため、ＳＰＤ用分離器が動作したか否かを容易に把握できないことが多いという課題がある。従って、ＳＰＤ用分離器が動作した後に上述のような作業を速やかに行えないことが多い。
【００１１】
例えば、特許文献１及び２に開示の配線遮断器タイプのＳＰＤ用分離器の場合、ＳＰＤ用分離器が動作したか否かは（スイッチがoffになっているか否かは）、設置場所において目視で確認しないと分からない。つまり、遠隔からリアルタイムで把握することはできない。また、ＳＰＤ用分離器が劣化又は損傷しているか否か検査する際、劣化表示が無いため外観だけからは判断できず、分解する必要がある。さらに、ＳＰＤ用分離器を交換する際、ネジ留めで結線されている電源線をＳＰＤ用分離器から取り外し、更にＳＰＤ用分離器本体を盤から取り外す必要がある。その後、新しいＳＰＤ用分離器の本体を盤に取り付け、更に電源線を結線する必要がある。
【００１２】
また、例えば、特許文献３及び４に開示のヒューズタイプのＳＰＤ用分離器の場合、配線遮断器タイプのＳＰＤ用分離器と同様に、ＳＰＤ用分離器が動作したか否かは（ヒューズが断線しているか否かは）、設置場所において目視で確認しないと分からない。つまり、この場合も遠隔からリアルタイムで把握することはできない。また、サーモラベル表示を有しているため、ＳＰＤ用分離器が劣化又は損傷しているか否か検査する際、ある程度の目安にはなるものの正確性には欠ける。サーモラベルは、抵抗器のうえに配置されており、抵抗器の発熱に反応して色が変化するものであり、必ずしもヒューズの断線によって色が変化するものではないからである。このため、外観だけからはヒューズが切れた否かについて正確には判断できず、結局のところ分解して検査する必要がある。さらに、ヒューズは基板にハンダ付けで実装され、ボックスに収容され、電源線を接続するための端子は基板から延在しており且つ基板と一体化されている。このため、交換の際には先ずボックスの蓋を開け、ネジ留めで結線されている電源線を端子から取り外し、基板を取り外す必要がある。その後、新しい基板を取り付け、更に電源線を結線し、最後にボックスの蓋を閉める必要がある。
【００１３】
以上のように、何れのタイプのＳＰＤ用分離器であっても、検査・交換作業が煩雑であると共に、ショート（短絡）事故の危険性もあるため、電気工事熟練者による作業を要する。
【００１４】
本発明はこのような状況に鑑みてなされたものであり、動作や劣化の確認が容易であり、メンテナンス作業も安全・容易・短時間で行うことができるＳＰＤ用分離器を提供するものである。
【課題を解決するための手段】
【００１５】
上記課題を解決するために、本発明によるＳＰＤ用分離器は、一次側に電源回路と接続され、二次側にＳＰＤと接続される複数のヒューズと、複数のヒューズの二次側に接続される検出表示部と、を有する。ここで、検出表示部は、複数のヒューズの二次側端子に接続される表示手段と、当該表示手段と並列に接続され、ヒューズの切断を検知し、当該ヒューズの切断を通知するための検知信号を出力するとともに、表示手段をｏｆｆ状態にする検出手段と、を含んでいる。
【００１６】
さらなる本発明の特徴は、以下本発明を実施するための形態および添付図面によって明らかになるものである。
【発明の効果】
【００１７】
本発明のＳＰＤ用分離器によれば、ＳＰＤ用分離器の動作や劣化の確認が容易であり、メンテナンス作業も安全・容易・短時間で行うことができるようになる。
【図面の簡単な説明】
【００１８】
【図１】本発明の実施形態によるＳＰＤ用分離器の外観構成を示す図である。
【図２】ＳＰＤ用分離器の台座に検出表示部を取り付けるときの手順を説明するための図である。
【図３】ＳＰＤ用分離器の台座における検出表示部の取り付け構造を示す図である。
【図４】検出表示部における台座への取り付け構造を示す図である。
【図５】本発明の実施形態によるＳＰＤ用分離器が単相３線式で構成された場合の検出回路を示す図である。
【図６】本発明の実施形態によるＳＰＤ用分離器が三相３線式で構成された場合の検出回路を示す図である。
【図７】本発明の実施形態による監視システムの概略構成を示す図である。
【発明を実施するための形態】
【００１９】
以下、添付図面を参照して本発明の実施形態について説明する。ただし、本実施形態は本発明を実現するための一例に過ぎず、本発明の技術的範囲を限定するものではないことに注意すべきである。また、各図において共通の構成については同一の参照番号が付されている。
【００２０】
＜ＳＰＤ用分離器の外観構成＞
図１は、本発明の実施形態に係るＳＰＤ用分離器１の全体の外観を示す図である。ＳＰＤ用分離器１は、台座（ホルダ）１０と、当該台座１０の上に配置される３つのヒューズプラグ１１乃至１３と、当該ヒューズプラグ１１乃至１３に隣接して台座１０の上に配置される検出表示部２０と、を有している。
【００２１】
台座１０には、図示しない電源とＳＰＤ用分離器を接続するための接続端子（一次側）１４と、図示しないＳＰＤとＳＰＤ用分離器を接続するための接続端子（二次側）１５と、をさらに有している。接続端子１４及び１５はそれぞれ３つの端子を有している。そして、各接続端子１４及び１５においては、各ヒューズプラグとの接続部として３つの端子１５−１乃至１５−３（一次側にも同様に設けられているが、図示せず）が設けられており、どの端子に接続線を繋いでも動作するようになっている。
【００２２】
ヒューズプラグ１１乃至１３は、図１には示されない、電源を接続するための接続端子（一次側）と、ＳＰＤを接続するための接続端子（二次側）を有している。後述する単相３線式ＳＰＤ用分離器では、一次側の入力端子はそれぞれＮｉｎ、Ｌ１、及びＬ２と称され、二次側の出力端子はそれぞれＮｏｕｔ、Ｌ１、及びＬ２と称される。また、後述する三相３線式ＳＰＤ用分離器では、一次側の入力端子はそれぞれＬ１、Ｌ２、及びＬ３と称され、二次側の出力端子はそれぞれＬ１、Ｌ２、及びＬ３と称される。
【００２３】
検出表示部２０は、表示ランプ（例えば、ＬＥＤ）２１及び２２と、警報出力端子２３と、検出表示部２０の筐体表面に設けられた筐体把持部２４と、を有している。表示ランプ２１及び２２は、正常状態では点灯しており、ヒューズプラグ１１乃至１３内の何れかのヒューズが切断された場合には消灯するように動作する。この表示ランプ２１及び２２は、外部から消灯の確認がしやすい位置であれば当該筐体表面のどこに設けられていてもよい。警報出力端子２３は、ヒューズプラグ１１乃至１３内の何れかのヒューズが切断された場合に、外部に警報信号を出力するための端子である。この警報信号は、例えば、遠隔的に設置された監視装置（管理コンピュータ）に送信され、遠隔的にＳＰＤ用分離器が動作したことを検知し、切断されたヒューズを有するヒューズプラグを交換したり、他の何らかの異常を検知してＳＰＤ用分離器を点検したりすることが可能となる。ＳＰＤ用分離器１は配線箱に収容されているため、検出表示部２０が台座１０から取り外しにくい状態となっていることがある。このため、検出表示部２０を台座１０からより容易に取り外せるようにするため、筐体把持部２４が設けられている。なお、検出表示部２０の筐体把持部２４が設けられている面と対向する面にも同様に筐体把持部２７が設けられている（図４参照）。これにより、検出表示部２０を掴む指の引っ掛かりが良くなり、検出表示部２０を台座１０から取り外すときに指が滑りにくくなっている。
【００２４】
図２乃至４を用いて、検出表示部２０のＳＰＤ用分離器１の台座１０への取り付けについて説明する。図２は、ＳＰＤ用分離器１の台座１０に検出表示部２０を取り付けるときの手順を説明するための図である。図３は、ＳＰＤ用分離器１の台座１０における検出表示部２０の取り付け構造を示す図である。図４は、検出表示部２０における台座１０への取り付け構造を示す図である。
【００２５】
図２に示されるように、検出表示部２０から警報出力端子２３を取り外した状態で、検出表示部２０に設けられた凹型の表示端子部２９（図４参照）を台座１０に設けられた凸型の取付端子部１８に嵌合させて固定する。取付端子部１８は、検出表示部２０を台座１０に固定する機能を有するとともに、検出表示部２０と各ヒューズプラグ１１乃至１３とを電気的に接続するための機能を有している。検出表示部２０本体を台座１０に取り付けるとき、検出表示部２０の案内レール２６が台座１０の切欠き溝１６に沿って台座１０の底面まで摺動することによっても、検出表示部２０は台座１０に固定される。さらに、検出表示部２０の案内レール２８が台座１０の係合レール１７に係合して台座１０に固定されているヒューズプラグ１１乃至１３の切欠き溝１９に沿って台座１０の底面まで摺動することによっても、検出表示部２０は台座１０に固定される。また、台座１０には誤挿入防止レール３１が設けられ、検出表示部２０には誤挿入防止溝３０が設けられている。よって、適切でない検出表示部２０を台座１０に取り付けようとした場合には、誤挿入防止レール３１と誤挿入防止溝３０が上手く噛み合わず検出表示部２０を台座に取り付けられないようになっている。なお、レールと溝の関係は、検出表示部２０と台座１０との間で逆であっても良い。
【００２６】
図２に戻り、検出表示部２０本体を台座１０へ取り付けた後は、次いで、図示しないネットワーク線を接続した警報出力端子２３を端子接続部２５に嵌合させる。ＳＰＤ用分離器１は、ＳＰＤとともに屋外に設置されることが多いため、検出表示部２０がネットワークと結線されていると検出表示部２０を台座１０に取り付けることが困難な状況にある場合もある。その一方で、ネットワーク線そのものを検出表示部２０に固定された警報出力端子２３に取り付ける作業は手先の細かい作業となる可能性があるため、作業者にとって負担となる場合がある。このため、本発明の実施形態によるＳＰＤ用分離器１では、警報出力端子２３を検出表示部２０本体から切り離すことができるように構成し、当該警報出力端子２３にネットワーク線を結線した後に検出表示部２０本体に取り付けられるようにしている。
【００２７】
また、図２及び４に示されるように、検出表示部２０の対向する面には、筐体把持部２４及び２７が設けられている。この筐体把持部２４及び２７は、検出表示部２０の表面に凹凸（突起物）を形成することにより構成される。この凹凸は、図２及び４に示されるように、複数のレール状の筋であっても良いし、検出表示部２０の表面に形成された複数の突起であっても良い。また、筐体把持部２４及び２７は、検出表示部２０がＳＰＤ用分離器１の台座１０に取り付けられた状態で露出する位置に形成される。なお、筐体把持部２４及び２７を、図１等における筐体把持部２４及び２７が設けられた対向面以外の対向面に設けないのは、ＳＰＤ用分離器１に近接して別の装置や設備が設置されるため、作業者がその対向面を持って検出表示部２０を取り外すことはできないからである。
【００２８】
以上のように、本発明の実施形態では、ＳＰＤ用分離器１においてヒューズプラグ１１乃至１３と検出表示部２０とを別々の構成要素（分離した構成）としている。このため、１つのヒューズプラグが切断された場合や検出表示部２０のＬＥＤが寿命となった場合であっても、そのヒューズプラグや検出表示部２０のみを交換すればよく、ＳＰＤ用分離器１全体を交換する必要がない。従って、メンテナンスコストを最小限に抑えることができる。
【００２９】
＜ＳＰＤ用分離器の内部回路（検出回路）＞
（１）単相３線式ＳＰＤ用分離器の場合
図５は、本発明の実施形態によるＳＰＤ用分離器が単相３線式で構成された場合の検出回路を示す図である。図５Ａは検出回路構成を示し、図５Ｂは検出回路内のリレーの出力スイッチの関係を示す図である。
【００３０】
当該検出回路は、ヒューズプラグ１１乃至１３に含まれるヒューズ５１乃至５３と、検出表示部２０に含まれる、ＬＥＤ２１及び２２と、第１のリレー５４と、第２のリレー５５と、を有している。第１のリレー５４は、例えば１００Ｖ用のリレーであり、端子Ｎｉｎに接続されるヒューズ５１と端子Ｌ１に接続されるヒューズ５２とに接続される。また、第１のリレー５４は、警報出力端子２３の端子２３１に接続される。第２のリレー５５は、例えば２００Ｖ用のリレーであり、端子Ｌ２に接続されるヒューズ５３と端子Ｌ１に接続されるヒューズ５２とに接続される。また、第２のリレー５５は、警報出力端子２３の端子２３２に接続される。なお、図５Ｂでは、各リレーの出力スイッチ５４１及び５５１は、ｏｆｆ状態（通常状態）となっている。従って、警報出力端子２３の端子２３１及び２３２の間は開放状態（ｏｆｆ状態）となっている。どちらか一方の出力スイッチがｏｎ（短絡）状態になると、警報出力端子２３の端子２３１及び２３２間は短絡状態（ｏｎ状態）となる。
【００３１】
（i）通常時の動作
通常時とは、ヒューズ５１乃至５３の全てが切断されていない状態のときをいう。このとき、一次側の端子ＮｉｎとＬ１との間には例えば１００Ｖの電圧が掛かり、端子Ｌ１及びＬ２との間には例えば２００Ｖの電圧が掛かる。つまり、単相３線式の場合、一次側の端子Ｎｉｎ−Ｌ１間の電圧と端子Ｌ１−Ｌ２間の電圧は異なっている。
【００３２】
このように、通常時においては、第１のリレー５４の両端にはリレー動作電圧以上の電圧（例えば１００Ｖ）が掛かっている。そのため、第１のリレー５４は、自身の出力スイッチ５４１をｏｆｆ状態にする。この状態では、ＬＥＤ２１に電流が流れるため、ＬＥＤ２１は点灯する。
【００３３】
また、第２のリレー５５の両端にもリレー動作電圧以上の電圧（例えば２００Ｖ）が掛かっている。そのため、第２のリレー５５も、自身の出力スイッチ５５１をｏｆｆ状態にする。この状態では、ＬＥＤ２２に電流が流れるため、ＬＥＤ２２は点灯する。
【００３４】
そして、出力スイッチ５４１及び５５１は共にｏｆｆ状態であるので、警報出力端子２３は開放状態になり、警報出力はｏｆｆとなる（つまり、警告信号は出力されない）。また、警報出力がｏｆｆであるので、警報出力端子２３に接続されている遠方の監視装置（図示せず）は、全てのヒューズ５１乃至５３が切断されずに正常であると認識することができる。
【００３５】
さらに、検出表示部２０のＬＥＤ２１及び２２が点灯しているため、ＳＰＤ用分離器１の設置場所でも目視によって全てのヒューズ５１乃至５３が正常であると確認することができる。
【００３６】
（ii）ヒューズ５１が切れた場合の動作
ヒューズ５１が切断されると、第１のリレー５４の両端には電圧が掛からなくなる。このとき、第１のリレー５４は、自身の出力スイッチ５４１をｏｎ状態にする。また、ＬＥＤ２１の両端にも電圧が掛からないため、ＬＥＤ２１には電流が流れず、ＬＥＤ２１は消灯する。
【００３７】
一方、第２のリレー５５の両端にはリレー動作電圧以上の電圧が掛かっている。このとき、リレー５５は、自身の出力スイッチ５５１をｏｆｆ状態にする。ＬＥＤ２２の両端には電圧が掛かっているため、ＬＥＤ２２には電流が流れ、ＬＥＤ２２は点灯したままとなる。
【００３８】
そして、出力スイッチ５５１はｏｆｆ状態となっているが、出力スイッチ５４１がｏｎ状態となるので、警報出力端子２３は短絡状態になり、警報出力はｏｎとなる（つまり、警報信号が出力される）。また、このとき警報出力がｏｎであるので、警報出力端子２３に接続されている遠方の監視装置（図示せず）は、ヒューズ５１乃至５３の何れかが断線したことを認識することができる。なお、監視装置では、ヒューズ断である旨の表示をしたり、ブザーを鳴らしたりしても良い。
【００３９】
さらに、検出表示部２０では、ＬＥＤ２１が消灯し、ＬＥＤ２２が点灯しているため、ＳＰＤ用分離器１の設置場所では、ヒューズ５１が断線したと目視で確認することができる。
【００４０】
なお、ヒューズ５１が切断されていない場合であっても、第１のリレー５４にリレー動作電圧以上の電圧が掛からない場合には、ヒューズ５１が切れた場合と同様の動作となる。
【００４１】
（iii）ヒューズ５３が切れた場合の動作
ヒューズ５３が切断されると、第２のリレー５５の両端には電圧が掛からなくなる。このとき、第２のリレー５５は、自身の出力スイッチ５５１をｏｎ状態にする。また、ＬＥＤ２２の両端にも電圧が掛からないため、ＬＥＤ２２には電流が流れず、ＬＥＤ２２は消灯する。
【００４２】
一方、第１のリレー５４の両端にはリレー動作電圧以上の電圧が掛かっている。このとき、リレー５４は、自身の出力スイッチ５４１をｏｆｆ状態にする。ＬＥＤ２１の両端には電圧が掛かっているため、ＬＥＤ２１には電流が流れ、ＬＥＤ２１は点灯したままとなる。
【００４３】
そして、出力スイッチ５４１はｏｆｆ状態となっているが、出力スイッチ５５１がｏｎ状態となるので、警報出力端子２３は短絡状態になり、警報出力はｏｎとなる（つまり、警報信号が出力される）。また、このとき警報出力がｏｎであるので、警報出力端子２３に接続されている遠方の監視装置（図示せず）は、ヒューズ５１乃至５３の何れかが断線したことを認識することができる。なお、監視装置では、ヒューズ断である旨の表示をしたり、ブザーを鳴らしたりしても良い。
【００４４】
さらに、検出表示部２０では、ＬＥＤ２２が消灯し、ＬＥＤ２１が点灯しているため、ＳＰＤ用分離器１の設置場所では、ヒューズ５３が断線したと目視で確認することができる。
【００４５】
なお、ヒューズ５３が切断されていない場合であっても、第２のリレー５５にリレー動作電圧以上の電圧が掛からない場合には、ヒューズ５３が切れた場合と同様の動作となる。
【００４６】
（iv）ヒューズ５２が切れた場合の動作
ヒューズ５２が断線すると、Ｎｉｎ−Ｌ２間に電圧（１００Ｖ）が掛かることになるので、第１のリレー５４及び第２のリレー５５の両端に電圧が掛かる。ここで、第１のリレー５４は１００Ｖ用のリレーであり、第２のリレー５５は２００Ｖ用のリレーであるため、ヒューズ５２が断線したときには、Ｎｉｎ−Ｌ２間に掛かる電圧（１００Ｖ）がそれぞれのリレーに対して分担（分圧）される。第１のリレー５４が１００Ｖ用のリレーで、第２のリレー５５が２００Ｖ用のリレーだとすると、第１のリレー５４に掛かる電圧は例えば１００Ｖ／３となり、第２のリレー５５に掛かる電圧は例えば１００Ｖ×２／３となる。そして、第１のリレー５４の動作電圧は分担された電圧（１００Ｖ／３）よりも高く設定されている（例えば、５０Ｖ）ため、第１のリレー５４の両端にはリレー動作電圧以上の電圧が掛からなくなる。従って、このときは、第１のリレー５４は、自身の出力スイッチ５４１をｏｎ状態にする。
【００４７】
同様に、第２のリレー５５の両端にも、リレー動作電圧（例えば１００Ｖ）以上の電圧は掛からなくなる。よって、第２のリレー５５は、自身の出力スイッチ５５１をｏｎ状態にする。
【００４８】
なお、Ｎｉｎ−Ｌ２間は断線していないので、ＬＥＤ２１には電流が流れることになる。しかし、上述のように、第１のリレー５４は、自身の出力スイッチ５４１をｏｎ状態にする際、同時にＬＥＤ２１と直列に配置してあるスイッチをｏｆｆ状態にするよう信号を出力しているため、ＬＥＤ２１は消灯することとなる。同様に、ＬＥＤ２２も消灯することとなる。
【００４９】
以上のように、出力スイッチ５４１及び５５１が共にｏｎ状態となるので、警報出力端子２３は短絡状態になる（つまり、警報信号が出力される）。また、このとき警報出力がｏｎであるので、警報出力端子２３に接続されている遠方の監視装置（図示せず）は、ヒューズ５１乃至５３の何れかが断線したことを認識することができる。なお、監視装置では、ヒューズ断である旨の表示をしたり、ブザーを鳴らしたりしても良い。さらに、検出表示部２０では、ＬＥＤ２１及びＬＥＤ２２が共に消灯するため、ＳＰＤ用分離器１の設置場所では、ヒューズ５２が断線したと目視で確認することができる。
【００５０】
（２）三相３線式ＳＰＤ用分離器の場合
図６は、本発明の実施形態によるＳＰＤ用分離器が三相３線式で構成された場合の検出回路を示す図である。図６Ａは検出回路構成を示し、図６Ｂは検出回路内のリレーの出力スイッチの関係を示す図である。
【００５１】
当該検出回路は、ヒューズプラグ１１乃至１３に含まれるヒューズ６１乃至６３と、検出表示部２０に含まれる、ＬＥＤ２１及び２２と、第１のリレー６４と、第２のリレー６５と、第１のリレー６４に並列に接続される分担電圧調整用抵抗Ｒと、を有している。第１のリレー６４及び第２のリレー６５はともに、例えば２００Ｖ用のリレーである。第１のリレー６４は、端子Ｌ１に接続されるヒューズ６１と端子Ｌ２に接続されるヒューズ６２とに接続される。また、第１のリレー６４は、警報出力端子２３の端子２３１に接続される。第２のリレー６５は、端子Ｌ３に接続されるヒューズ６３と端子Ｌ２に接続されるヒューズ６２とに接続される。また、第２のリレー６５は、警報出力端子２３の端子２３２に接続される。なお、図６Ｂでは、各リレーの出力スイッチ６４１及び６５１は、ｏｆｆ状態（通常状態）となっている。従って、警報出力端子２３の端子２３１及び２３２の間は開放状態（ｏｆｆ状態）となっている。どちらか一方の出力スイッチがｏｎ（短絡）状態になると、警報出力端子２３の端子２３１及び２３２間は短絡状態（ｏｎ状態）となる。なお、分担電圧調整用抵抗Ｒは、リレーの分担電圧が自身の「リレー動作電圧」より確実に低い電圧になることを目的に付加するものである。図６Ａでは、第１のリレー６４にのみに並列に分担電圧調整用抵抗Ｒを付加しているが、第２のリレー６５にのみ付加しても良く、第１のリレー６４及び第２のリレー６５のそれぞれに並列に付加しても良い。
【００５２】
（i）通常時の動作
通常時には、一次側の端子Ｌ１とＬ２との間には例えば２００Ｖの電圧が掛かり、端子Ｌ２及びＬ３との間にも例えば２００Ｖの電圧が掛かる。つまり、三相３線式の場合、一次側の端子Ｌ１−Ｌ２間の電圧と端子Ｌ２−Ｌ３間の電圧は同じである。
【００５３】
このように、通常時においては、第１のリレー６４の両端にはリレー動作電圧以上の電圧（例えば２００Ｖ）が掛かっている。そのため、第１のリレー６４は、自身の出力スイッチ６４１をｏｆｆ状態にする。この状態では、ＬＥＤ２１に電流が流れるため、ＬＥＤ２１は点灯する。
【００５４】
また、第２のリレー６５の両端にもリレー動作電圧（例えば８０Ｖ）以上の電圧（例えば２００Ｖ）が掛かっている。そのため、第２のリレー６５も、自身の出力スイッチ６５１をｏｆｆ状態にする。この状態では、ＬＥＤ２２に電流が流れるため、ＬＥＤ２２は点灯する。
【００５５】
そして、出力スイッチ６４１及び６５１は共にｏｆｆ状態であるので、警報出力端子２３は開放状態になり、警報出力はｏｆｆとなる（つまり、警告信号は出力されない）。また、警報出力がｏｆｆであるので、警報出力端子２３に接続されている遠方の監視装置（図示せず）は、全てのヒューズ６１乃至６３が切断されずに正常であると認識することができる。
【００５６】
さらに、検出表示部２０のＬＥＤ２１及び２２が点灯しているため、ＳＰＤ用分離器１の設置場所でも目視によって全てのヒューズ６１乃至６３が正常であると確認することができる。
【００５７】
（ii）ヒューズ６１が切れた場合の動作
ヒューズ６１が切断されると、第１のリレー６４の両端には電圧が掛からなくなる。このとき、第１のリレー６４は、自身の出力スイッチ６４１をｏｎ状態にする。また、ＬＥＤ２１の両端にも電圧が掛からないため、ＬＥＤ２１には電流が流れず、ＬＥＤ２１は消灯する。
【００５８】
一方、第２のリレー６５の両端にはリレー動作電圧（例えば８０Ｖ）以上の電圧（２００Ｖ）が掛かっている。このとき、リレー６５は、自身の出力スイッチ６５１をｏｆｆ状態にする。ＬＥＤ２２の両端には電圧が掛かっているため、ＬＥＤ２２には電流が流れ、ＬＥＤ２２は点灯したままとなる。
【００５９】
そして、出力スイッチ６５１はｏｆｆ状態となっているが、出力スイッチ６４１がｏｎ状態となるので、警報出力端子２３は短絡状態になり、警報出力はｏｎとなる（つまり、警報信号が出力される）。また、このとき警報出力がｏｎであるので、警報出力端子２３に接続されている遠方の監視装置（図示せず）は、ヒューズ６１乃至６３の何れかが断線したことを認識することができる。なお、監視装置では、ヒューズ断である旨の表示をしたり、ブザーを鳴らしたりしても良い。
【００６０】
さらに、検出表示部２０では、ＬＥＤ２１が消灯し、ＬＥＤ２２が点灯しているため、ＳＰＤ用分離器１の設置場所では、ヒューズ６１が断線したことを目視で確認することができる。
【００６１】
なお、ヒューズ６１が切断されていない場合であっても、第１のリレー６４にリレー動作電圧以上の電圧が掛からない場合には、ヒューズ６１が切れた場合と同様の動作となる。
【００６２】
（iii）ヒューズ６３が切れた場合の動作
ヒューズ６３が切断されると、第２のリレー６５の両端には電圧が掛からなくなる。このとき、第２のリレー６５は、自身の出力スイッチ６５１をｏｎ状態にする。また、ＬＥＤ２２の両端にも電圧が掛からないため、ＬＥＤ２２には電流が流れず、ＬＥＤ２２は消灯する。
【００６３】
一方、第１のリレー６４の両端にはリレー動作電圧（例えば８０Ｖ）以上の電圧（２００Ｖ）が掛かっている。このとき、リレー６４は、自身の出力スイッチ６４１をｏｆｆ状態にする。ＬＥＤ２１の両端には電圧が掛かっているため、ＬＥＤ２１には電流が流れ、ＬＥＤ２１は点灯したままとなる。
【００６４】
そして、出力スイッチ６４１はｏｆｆ状態となっているが、出力スイッチ６５１がｏｎ状態となるので、警報出力端子２３は短絡状態になり、警報出力はｏｎとなる（つまり、警報信号が出力される）。また、このとき警報出力がｏｎであるので、警報出力端子２３に接続されている遠方の監視装置（図示せず）は、ヒューズ６１乃至６３の何れかが断線したことを認識することができる。なお、監視装置では、ヒューズ断である旨の表示をしたり、ブザーを鳴らしたりしても良い。
【００６５】
さらに、検出表示部２０では、ＬＥＤ２２が消灯し、ＬＥＤ２１が点灯しているため、ＳＰＤ用分離器１の設置場所では、ヒューズ６３が断線したことを目視で確認することができる。
【００６６】
なお、ヒューズ６３が切断されていない場合であっても、第２のリレー６５にリレー動作電圧以上の電圧が掛からない場合には、ヒューズ６３が切れた場合と同様の動作となる。
【００６７】
（iv）ヒューズ６２が切れた場合の動作
ヒューズ６２が断線しても一次側の端子Ｌ１−Ｌ３間に電圧（２００Ｖ）が掛かることになるので、第１のリレー６４の両端、及び第２のリレー６５の両端に電圧が掛かる。三相３線式の場合、一次側の全ての端子Ｌ１乃至Ｌ３に同一の電圧（２００Ｖ）が掛かり、また、第１のリレー６４及び第２のリレー６５はともに２００Ｖ用のリレーで構成されるため、図５と同様な回路構成を採用した場合には、一次側の端子Ｌ１−Ｌ３間の電圧（２００Ｖ）が２つのリレーに対して等分に分担されることになる。このとき、分担される電圧、つまり各リレーに掛かる電圧（例えば、１００Ｖ）は各リレーの動作電圧（例えば、８０Ｖ）より高くなってしまうため、第１のリレー６４及び第２のリレー６５が正常に動作してしまう。
【００６８】
そこで、本発明の実施形態では、図６に示されるように、第１のリレー６４に対して並列に分担電圧調整用抵抗Ｒを接続するようにしている。この抵抗Ｒの値を調整することによって、第１のリレー６４にかかる電圧が第１のリレー６４の動作電圧よりも確実に低く分担されるようにする。第１のリレー６４の分担電圧が動作電圧よりも低くなれば、第１のリレー６４は、自身の出力スイッチ６４１をｏｎ状態にする。なお、Ｌ１−Ｌ３間は断線していないので、ＬＥＤ２１には電流が流れることになる。しかし、第１のリレー６４は、自身の出力スイッチ６４１をｏｎ状態にする際、同時にＬＥＤ２１と直列に配置してあるスイッチもｏｆｆ状態にする。このため、ＬＥＤ２１は消灯することとなる。
【００６９】
一方、第２のリレー６５には分担電圧調整用抵抗は接続されていない。従って、第２のリレー６５の両端に掛かる分担電圧がリレー動作電圧以上の電圧となる場合もある。ただし、第１のリレー６４に並列に接続された分担電圧調整用抵抗Ｒの値を適宜設定することにより（或いは、第１のリレー６４の直近に直列に接続されている抵抗の値及び第２のリレー６５の直近に直列に接続されている抵抗の値を調整したうえで、第１のリレー６４に並列に接続された分担電圧調整用抵抗Ｒの値を適宜設定することにより）、第２のリレー６５に分担される電圧をリレー動作電圧より低く設定することが可能である。このように第２のリレー６５の分担電圧をリレー動作電圧よりも低く設定できた場合には、第２のリレー６５は、自身の出力スイッチ６５１をｏｎ状態にするように動作する。なお、Ｌ１−Ｌ３間は断線していないので、ＬＥＤ２２にも電流が流れることになる。しかし、第２のリレー６５は、自身の出力スイッチ６５１をｏｎ状態にする際、同時にＬＥＤ２２と直列に配置してあるスイッチもｏｆｆ状態にする。このため、ＬＥＤ２２も消灯することとなる。
【００７０】
以上のように、出力スイッチ６４１及び６５１が共にｏｎ状態となるので、警報出力端子２３は短絡状態になる（つまり、警報信号が出力される）。また、このとき警報出力がｏｎであるので、警報出力端子２３に接続されている遠方の監視装置（図示せず）は、ヒューズ６１乃至６３の何れかが断線したことを認識することができる。なお、監視装置では、ヒューズ断である旨の表示をしたり、ブザーを鳴らしたりしても良い。さらに、検出表示部２０では、ＬＥＤ２１及びＬＥＤ２２が共に消灯するため、ＳＰＤ用分離器１の設置場所では、ヒューズ６２が断線したと目視で確認することができる。
【００７１】
なお、ここでは、分担電圧調整用抵抗Ｒを調整して第２のリレー６５に分担される電圧もリレー動作電圧より低くなるようにした例を説明したが、第２のリレー６５の分担電圧をリレー動作電圧より低くなるようにしなくても良い。確かに、この場合、ＬＥＤ２１のみが消灯するので、ヒューズ６１が断線したと判断してしまう可能性があるが、少なくともヒューズ６１及び６２の何れかが断線したことは目視で確認できるため、現場作業者にとってはそれほど不都合とはならない。また、この場合であっても、遠方の監視装置は、ヒューズ６１乃至６３の何れかが断線したことを認識することができるため、該当するＳＰＤ用分離器の設置場所に作業者を即座に向かわせることは可能であり、不都合はない。
【００７２】
（３）その他
図５及び６では３線式のＳＰＤ用分離器の検出回路について説明したが、３線式に限られず、２線式の検出回路に対しても本発明は適用可能である。この場合、設けられるヒューズは２つであるため、何れかのヒューズが断線したときに警報出力がｏｎ状態となり、ＬＥＤ（この場合、設けられるＬＥＤは１つである）が消灯することとなる。動作の詳細は上述したとおりであるため、その説明は省略する。
【００７３】
＜監視システム＞
図７は、本発明の実施形態による監視システムの概略構成を示す図である。監視システム７０は、電源７１と、電源７１に接続される保護対象の電気機器７２と、ＳＰＤ用分離器１と、ＳＰＤ７３と、ＳＰＤ用分離器１の警報出力端子２３とネットワーク７４を介して接続される監視装置７５と、を有している。
【００７４】
監視装置７５は通常のコンピュータによって実現可能であり、例えば、プロセッサ（ＣＰＵ）７５１と、各種制御データやプログラムを格納するＲＯＭ７５２と、計算領域として利用されるＲＡＭ７５３と、キーボード、ポインティングデバイス、音声マイク等の入力デバイス７５４と、ディスプレイ、プリンタ、スピーカ等の出力デバイス７５５と、通信デバイス７５６と、を有している。
【００７５】
上述のように、ＳＰＤ用分離器１において、何れかのヒューズが断線したり、リレー両端の電圧がリレー動作電圧より低くなっていると、断線や電圧低下を知らせるための警告信号（警告出力）がＳＰＤ用分離器１の警告出力端子２３から出力される。この警告信号は、ネットワーク７４を介して監視装置７５に送信される。監視装置７５は、送信されてきた警告信号を通信デバイス７５６によって受信した場合、監視対象となっているＳＰＤ用分離器１内の何れかのヒューズの断線あるいは電圧低下の異常を検知することになる。
【００７６】
このようにすることにより、監視装置７５のオペレータは、ＳＰＤ用分離器１を修理・点検する担当作業者に連絡し、現場に向かうように指示することが可能となる。なお、監視装置７５は、上述のような異常を検知した場合には、予め登録された担当作業者に対して、ＳＰＤ用分離器１を修理・点検するように自動的に指示メール（定型メール）を送信するようにしても良い。
【００７７】
＜まとめ＞
（i）本発明の実施形態では、ＳＰＤ用分離器の一次側には電源回路が接続され、二次側にはＳＰＤと接続される複数のヒューズ（２つ又は３つ）が接続される。また、複数のヒューズの二次側には検出表示部が接続されている。この検出表示部は、複数のヒューズの二次側端子に接続される表示手段（例えば、ＬＥＤ）と、当該表示手段と並列に接続される検出手段（リレー）と、を有している。この検出手段は、ヒューズの切断を検知し、当該ヒューズの切断を通知するための検知信号を出力するとともに、表示手段を用いてヒューズ切断を外部に知らせる（例えば、点灯していたＬＥＤを消灯したり、逆に消灯していたＬＥＤを点灯させたりする）。このようにすることにより、ＳＰＤ用分離器のヒューズプラグを逐一チェックする必要なくヒューズの切断を外部から容易に目視確認することができる。また、出力された検知信号を、ネットワークを介して監視装置に送信することにより、遠隔的にＳＰＤ用分離器のヒューズの切断を認識することができる。よって、対象のＳＰＤ用分離器が設置されている現場に作業者を即座に派遣することができ、ＳＰＤ用分離器を早期に復旧させることができるようになる。なお、検知信号（警報出力）に該当するＳＰＤ用分離器の識別番号（ＩＤや設置場所を示す情報等を含む）を含めることにより、監視装置は、複数個所に分散して設置されているＳＰＤ用分離器のうちどの分離器でヒューズの切断や機器の故障が発生しているか即座に認識することができるようになる。
【００７８】
一般的に３線式のＳＰＤ用分離器が用いられるが、２線式の場合もある。本発明は２線式にも適用可能である。３線式の場合、ヒューズの個数は３つ（第１乃至第３のヒューズとする）である。このとき、第１のヒューズと第２のヒューズのそれぞれの二次側端子に接続される第１の表示手段（ＬＥＤ）と、第２のヒューズと第３のヒューズのそれぞれの二次側端子に接続される第２の表示手段（ＬＥＤ）と、が設けられる。また、このとき、検出手段としては、第１の表示手段と並列に接続され、第１及び第２のヒューズの切断を検知するために動作する第１の検出手段と、第２の表示手段と並列に接続され、第２及び第３のヒューズの切断を検知するために動作する第２の検出手段と、が設けられる。このようにすることにより、３つのヒューズのうちどのヒューズが切断されたかを表示手段の表示形態によって外部から容易に認識することができるようになる。
【００７９】
単相３線式の場合、第１及び第２のヒューズの間に印加される第１の印加電圧は、第２の及び第３のヒューズの間に印加される第２の印加電圧よりも低く設定されている。例えば、第１の印加電圧は１００Ｖ、第２の印加電圧は２００Ｖに設定される。そして、第１の検出手段として、第１の印加電圧用（１００Ｖ用）のリレー、第２の検出手段として、第２の印加電圧用（２００Ｖ用）のリレーが用いられる。第１のヒューズが切断されたとき、第２及び第３のヒューズ間にのみ２００Ｖが印加されるため、１００Ｖ用のリレーがｏｎ状態となり、かつ、第１の表示手段（ＬＥＤ）が消灯する。第３のヒューズが切断されたとき、逆に２００Ｖ用のリレーがｏｎ状態となり、かつ、第２の表示手段（ＬＥＤ）が消灯する。なお、切断によって点灯→消灯のように制御しても良いが、消灯→点灯のように制御しても良い。一方、第２のヒューズが切断された場合、第１及び第３のヒューズの間に第１の印加電圧（１００Ｖ）が印加される。すると、この１００Ｖが第１及び第２の検出手段で（１００Ｖ用リレーと２００Ｖ用リレーとの間で）分担される。そして、第１及び第２の検出手段に分担される分担電圧はそれぞれ、第１及び第２のリレーの動作電圧より低い値となる。よって、第１の検出手段（１００Ｖ用リレー）は、第１の表示手段をｏｆｆ状態にし、第２の検出手段（２００Ｖ用リレー）は、第２の表示手段を点灯から消灯状態する（消灯→点灯でもよい）。このようにすることにより、単相３線式のＳＰＤ用分離器において、適切にヒューズの切断及び／又は機器の不具合を検知し、即座に対応することができるようになる。
【００８０】
三相３線式の場合、第１及び第２のヒューズの間に印加される第１の印加電圧と前記第２の及び第３のヒューズの間に印加される第２の印加電圧は同じ値（例えば、２００Ｖ）に設定される。第１及び第２の検出手段として、共に２００Ｖ用のリレーが用いられる。さらに、第１の検出手段（リレー）には並列に電圧調整用抵抗Ｒが接続される。第１のヒューズが切断されたとき、第２及び第３のヒューズ間にのみ２００Ｖが印加されるため、第１の検出手段のリレーがｏｎ状態となり、かつ、第１の表示手段（ＬＥＤ）が消灯する。第３のヒューズが切断されたとき、逆に第２の検出手段のリレーがｏｎ状態となり、かつ、第２の表示手段（ＬＥＤ）が消灯する。なお、切断によって点灯→消灯のように制御しても良いが、消灯→点灯のように制御しても良い。第２のヒューズが切断された場合、第１及び第３のヒューズの間に２００Ｖが印加され、この印加電圧が第１及び第２の検出手段で分担される。この場合、少なくとも第１の検出手段のリレーに分担される分担電圧は当該リレーの動作電圧より低い値となり、よって、少なくとも第１の検出手段（リレー）は、第１の表示手段（ＬＥＤ）を点灯から消灯にする（消灯から点灯するようにしても良い）。なお、電圧調整用抵抗Ｒの値を適切に調整することにより、第２の検出手段のリレーに分担される電圧を当該リレーの動作電圧より低くなるように設定することも可能である。このようにすることにより、三相３線式のＳＰＤ用分離器において、適切にヒューズの切断及び／又は機器の不具合を検知し、即座に対応することができるようになる。
【００８１】
（ii）上述のＳＰＤ用分離器を、ネットワーク（有線及び無線を含む）を介して監視装置に接続する。監視装置は、ＳＰＤ用分離器から出力される警報出力を受信し、ＳＰＤ用分離器におけるヒューズ切断、異常や不具合を検知する。このようにすることにより、遠隔に分散して設置されたＳＰＤ用分離器におけるヒューズ切断、異常や不具合を迅速に、かつ効率的に把握し、その不具合等に迅速に対応することができるようになる。
【００８２】
（iii）ＳＰＤ用分離器においては、その台座に、複数のヒューズプラグ（実施形態では３つのヒューズプラグが示されているが、２つであっても良い）と、表示部を有する検出表示部が取り付けられる。これら複数のヒューズプラグと検出表示部は別個に台座に着脱可能なように構成されている。このようにすることにより、ＳＰＤ用分離器に不具合が生じた際に、不具合のある構成要素のみを交換すればよく、機器全体を交換する必要がなくなり、コスト的なメリットを享受することが可能となる。
【００８３】
また、検出表示部の筐体表面には、検出表示部を着脱するときに当該検出表示部を把持するための筐体把持部が設けられている。この筐体把持部は、例えば、台座の長手方向と一致する方向の対向面のそれぞれに形成された凹凸で構成される。なお、この凹凸は、検出表示部が台座に装着した状態では露出している。このようにすることにより、検出表示部の台座への取り付けが容易となる。
【００８４】
さらに、検出表示部は、さらに、ネットワークと結線するための着脱可能な警告出力端子を有する。当該警告出力端子は着脱可能であるので、ネットワークと当該端子との結線を完了してから、当該端子の検出表示部への取り付けが可能となる。よって、ＳＰＤ用分離器に様々な機器が隣接して設置されているような状況であってもＳＰＤ用分離器とネットワークとの結線を比較的容易に完了させることが可能となる。
【００８５】
また、台座には、検出表示部の台座への挿入方向に切欠き溝（案内レールであってもよい）が形成されている。そして、検出表示部には、台座の切欠き溝に対向するように案内レール（台座に案内レールが形成されている場合には切欠き溝）が形成されている。このようにすることにより、検出表示部の台座への取り付けがスムーズになるとともに、より強固に検出表示部を台座に固定することが可能となる。
【００８６】
また、複数のヒューズプラグのそれぞれの検出表示部と対向する面には、台座への挿入方向に切欠き溝（案内レールであってもよい）が形成されている。そして、検出表示部には、台座の切欠きに対向するように案内レール（ヒューズプラグに案内レールが形成されている場合には切欠き溝）が形成されている。このようにすることにより、検出表示部の台座への取り付けがスムーズになるとともに、別個の構成部品である検出表示部とヒューズプラグをより強固に台座に固定することが可能となる。
【符号の説明】
【００８７】
１…ＳＰＤ用分離器
１０…台座（ホルダ）
１１乃至１３…ヒューズプラグ
１４，１５…接続端子
２０…検出表示部
２１，２２…表示ランプ（ＬＥＤ）
２３…警報出力端子
２４，２７…筐体把持部
５１乃至５３，６１乃至６３…ヒューズ
５４，６４…第１のリレー
５５，６５…第２のリレー
７０…監視システム
７１…電源
７２…電気機器
７３…ＳＰＤ
７４…ネットワーク
７５…監視装置
【図１】
0006307381.tif 000002
【図２】
0006307381.tif 000003
【図３】
0006307381.tif 000004
【図４】
0006307381.tif 000005
【図５】
0006307381.tif 000006
【図６】
0006307381.tif 000007
【図７】
0006307381.tif 000008